(57)【要約】【課題】  表示片のホルダーへの着脱及びホルダーのメガネへの着脱を容易に行えるようにするとともに、使用時において商品情報を裏返しにすることなく常に適切な表示を可能とする。また、形状の簡易化により製造を容易化しかつ品質を安定化する。【解決手段】  メガネに取り付け、商品名や価格などの商品情報を記載した表示片の保持に用いるメガネ用表示片ホルダーを提供する。当該表示片ホルダーは、表示片１９とほぼ同等かそれ以上の大きさを有する基板部１１を有し、基板部１１の一面の上部に、メガネＧへの取り付け手段としての掛け止め部１３を設け、基板部１１の他面の下部から立ち上がり、表示片１９の記載面のほぼ全面を覆う透明なカバー部１５を設け、基板部１１と掛け止め部１３及びカバー部１５が一体構造を有しているものとする。【選択図】          図２
0003116073.tif 000002
【実用新案登録請求の範囲】
【請求項１】
メガネに取り付け、商品名や価格などの商品情報を記載した表示片の保持に用いるメガネ用表示片ホルダーであって、表示片とほぼ同等かそれ以上の大きさを有する基板部を有し、基板部の一面の上部に、メガネへの取り付け手段としての掛け止め部を設け、基板部の他面の下部から立ち上がり、表示片の記載面のほぼ全面を覆う透明なカバー部を設け、基板部と掛け止め部及びカバー部が一体構造を有しているメガネ用表示片ホルダー。
【請求項２】
掛け止め部は、メガネのつるに上から掛け止める、ほぼＵ字状の屈曲部であり、屈曲部で囲まれる空所は、ほぼＵ字状の屈曲部の入口よりも膨らんだ形状を有している請求項１記載のメガネ用表示片ホルダー。
【請求項３】
基板部の一面の上部にほぼＵ字状の屈曲部を経て垂れ下がる掛け止め片と、基板部の他面の下部にほぼＵ字状の屈曲部を経て立ち上がるカバー部とが、基板部の中央部を中心とした回転対称となる形状に設けられている請求項１記載のメガネ用表示片ホルダー。
【請求項４】
基板部の上部と下部の屈曲部の１方又は両方を軟質のプラスチック材で形成した構成を有する請求項１記載のメガネ用表示片ホルダー。
【考案の詳細な説明】
【技術分野】
【０００１】
本考案は、メガネに取り付け、商品名や価格などの商品情報を記載した表示片の保持に用いるメガネ用表示片ホルダーに関するものである。
【背景技術】
【０００２】
商品名や価格その他の事項を商品情報として記載した表示片をメガネに取り付ける方法には幾つかの方法が知られている。実開平７−２９５２２号に図示されている方法は、表示片に糸を通してメガネフレームに結び付ける方法であるが、メガネの陳列時に表示片の情報記載面が横向きになったり、伏せられたり或いは裏返しになって、向うを向いているという状況になるおそれが多分にあり、また着脱にも手間取ることが多く、概して不便である。
【０００３】
また、例えば実開平６−８４４７６号として開示されているように、穴が２箇所開けられた袋状の透明保持具に表示片を収め、穴にメガネのつる（テンプル）を差し通す方法もある。しかしこのものは構造が複雑なため、品質安定性に欠け、製造コストが高くつくとか、着脱に手間取ることがある、という問題がある。また実用新案登録第３０８９２４０号のものはタグに代わる商品情報の記載方法としてテンプル（つる）の裏面側に表示することを提案しているが、商品の価格をメガネに表示することには抵抗も予測される。
【０００４】
【特許文献１】実開平７−２９５２２号
【特許文献２】実開平６−８４４７６号
【特許文献３】実用新案登録第３０８９２４０号
【考案の開示】
【考案が解決しようとする課題】
【０００５】
本考案は前記の点に着目してなされたもので、その課題は、表示片のホルダーへの着脱及びホルダーのメガネへの着脱を容易に行うことができ、商品情報を裏返しにすることなく常に適切に表示可能であり、かつ低コストで製造可能なメガネ用表示片ホルダーを提供することである。また本考案の他の課題は、形状の簡易化により製造を容易化しかつ品質を安定化することである。
【課題を解決するための手段】
【０００６】
前記の課題を解決するため、メガネに取り付け、商品名や価格などの商品情報を記載した表示片の保持に用いるメガネ用表示片ホルダーについて、表示片とほぼ同等かそれ以上の大きさを有する基板部を有し、基板部の一面の上部に、メガネへの取り付け手段としての掛け止め部を設け、基板部の他面の下部から立ち上がり、表示片の記載面のほぼ全面を覆う透明なカバー部を設け、基板部と掛け止め部及びカバー部が一体構造を有しているという構成を備えるものである。
【０００７】
表示片は、商品名や価格などの商品情報を記載したものであり、紙片やプラスチック片より成る。商品情報としては、上記の他に、商品略号、サイズ、或いは特別提供品かどうかなどの各種の情報を記載することができる。
【０００８】
本考案のメガネ用表示片ホルダーは、基板部を備えている必要がある。基板部は、本考案のホルダーの本体というべき部分であり、表示片とほぼ同等の大きさ、或いはそれ以上の大きさに形成されている。ほぼ同等の大きさの中には、表示片の方が大きい場合が含まれても良い。
【０００９】
上記基板部を中心として、その一面の上部に掛け止め部を設け、他面の下部にカバー部を設けている。掛け止め部は、メガネへの取り付け手段として、掛け止めという方法を取るものであり、具体的には掛ける（フック）或いは挟み持つ（クランプ）という形態を取る。
【００１０】
より具体的に言えば、掛け止め部、メガネのつる（テンプル）に上から掛けて止められる、ほぼＵ字状の屈曲部の形態を取ることができ、屈曲部で囲まれる空所は、屈曲部の入口よりも膨らんだほぼＵ字状の形状となる。この屈曲部で囲まれる空所は、メガネのつるが入り込める大きさ、形状を有していることが望まれる。
【００１１】
カバー部は、表示片の記載面のほぼ全面を覆うもので、透明であることが望ましい。透明という場合には、無色透明のほか着色透明を含み、さらに商品情報を透視可能な、半透明と通称されているものを含む。従って、カバー部と基板部とはほぼＵ字状の断面形状を形成し、その間の狭い（薄い）領域に、表示片がその記載面をカバー部に向けて配置され、保持されている。
【００１２】
基板部と掛け止め部及びカバー部は一体構造を有している必要がある。例えば１枚の弾性を有するシート材を折り曲げて、一面の上部に掛け止め部を設け、他面の下部に立ち上がるカバー部を設けたものは、一体構造であり、また基板部の一面の上部に掛け止め部を設け、同じ基板部の他面の下部にカバー部を設けた形態を、ダイスから押し出し成形したものは一体構造である。さらに一面の上部の掛け止め部を設けた基板部と、他面の下部に立ち上がるカバーを設けた基板部とを貼り合わせても、また、軟質と硬質や、透明と不透明など、異なる材質のものを同時押し出し成形したり、貼り合わせたりしても本ホルダーを形成することができるが、これらのものも一体構造物である。
【００１３】
掛け止め部は、掛け止めが目的であるから短くて良く、カバー部は表示片を覆えるだけの長さが必要である。しかし、掛け止め部の長さを延長し、基板部の一面の上部にほぼＵ字状の屈曲部を経て垂れ下がる掛け止め片と、基板部の他面の下部にほぼＵ字状の屈曲部を経て立ち上がるカバー部とが、基板部の中央を中心とした回転対称となる形状に設けても良い。このように構成すると、表裏の区別のない表示片ホルダーを提供することができるので、より取り扱い易いものとなる。また、軟質材や滑り止め効果を有するプラスチック材を一部又は全部に使用して表示片ホルダーを形成することにより、試着時における危険防止効果や滑り止めの効果を得ることができる。
【考案の効果】
【００１４】
本考案は以上の如く構成されかつ作用するものであるから、基板部とカバー片との間に表示片を差し込むとともに、表示片ホルダーは掛け止め部にてメガネに掛け止めれば良いので、表示片のセットが非常に容易であり、表示片は一定の方向を向いているので常に適切な表示が可能となり、簡易な構造により低コスト化が実現する。また折り曲げ或いは押し出し法により製造が容易化しかつ品質の安定を図ることができる。
【考案を実施するための最良の形態】
【００１５】
以下図示の実施形態を参照して本考案をより詳細に説明する。図１、図２は、本考案の例１に示しており、使用状態は図６、図７に示されている。
【００１６】
例１に示す表示片ホルダー１０は、表示片１９よりもやや大き目の大きさを有する基板部１１を持ち、その一面の上部に、メガネへの取り付け手段として、メガネのつるに上から掛け止める、ほぼＵ字状の屈曲部１２から成る短い掛け止め部１３を設け、基板部１２の他面の下部に、ほぼＵ字状の屈曲部１４を経てそこから立ち上がり、表示片１９の記載面１８のほぼ全面を覆う透明なカバー部１５を設けている。１６は表示片押さえであり、保持領域１７に収めた表示片１９を押える。
【００１７】
例１に示す表示ホルダー１０を使用するには、カバー部１５内に表示片１９を収めておき、次いで短い掛け止め部１３を開いて、メガネＧのつるＴに上から掛け止め、つるＴが上部の屈曲部１２で囲まれる空所に位置するようにする。図７は、つるＴを開いた状態を示しており、試着時には側頭部に位置するので、邪魔にならない。また商品陳列のためにつるＴを畳んだ上体ではメガネフレームを透して商品情報２８を明瞭に表示することとなり、裏返しになるおそれもない。
【００１８】
例２に示す表示片ホルダー２０は、表示片２９よりもやや大き目の大きさを有する基板部２１を持ち、その一面の上部に、メガネへの取り付け手段として、メガネのつるに上から掛け止める、ほぼＵ字状の屈曲部２２から成る長い掛け止め部２３を設け、基板部２１の他面の下部に、ほぼＵ字状の屈曲部２４を経てそこから立ち上がる、表示片２９の記載面２８のほぼ全面を覆う透明なカバー部２５を設けている。２６、２６′は表示片押さえであり、長い掛け止め部２３の下端にも設けられているので、例２の表示片ホルダー２０は、基板部２１の中央部を中心として回転対称であり、掛け止め部２３はカバー部２５を兼ね、またカバー部２５も掛け止め部２３を兼ねる。
【００１９】
例２に示す表示片ホルダー２０を使用する方法は、例１と同様で良いが、図８から明らかなように掛け止め部２３とカバー部２５の形態的区別がないので、表示片２９を取り付けるにもどちらの側に収めるかを気に懸ける必要もない。収めやすい方を保持領域２７として表示片２９を差し込めば良く、長い懸け止め片２３は短い掛け止め片１３よりも外れ止め効果は良好となる。
【００２０】
上記の表示片ホルダー１０、２０は、透明なプラスチック材料をダイスから押し出す方法によって製造されている。しかし、これを透明プラスチックシートの折り曲げによって形成することができるのは前述した通りである。また、図５に示すように、硬質プラスチック材で基板部１１と掛け止め部１３及びカバー部１５を形成し、屈曲部１２′、１４′を軟質プラスチック材で形成した構造とすることもできる。この例３の構造は押し出し成形でも、部品の事後の貼り合わせでも形成することができる。
【図面の簡単な説明】
【００２１】
【図１】本考案に係るメガネ用表示片ホルダーの例１を示す斜視図。
【図２】同じく例１を示すもので、Ａは正面図、Ｂは側面図。
【図３】本考案の例２を示す斜視図。
【図４】同じく例２を示すもので、Ａは正面図、Ｂは側面図。
【図５】本考案の例３を示す斜視図。
【図６】例１のものの使用状態を示す正面図。
【図７】同上の斜視図。
【図８】例２のものの使用状態を示す斜視図。
【符号の説明】
【００２２】
１０、２０  表示片ホルダー
１１、２１  基板部
１２、２２  屈曲部
１３、２３  掛け止め部
１４、２４  屈曲部
１５、２５  カバー部
１６、２６、２６′  表示片押さえ
１７、２７  保持領域
１８、２８  記載面
１９、２９  表示片
Ｇ  メガネ
Ｔ  つる
【図１】
0003116073.tif 000003
【図２】
0003116073.tif 000004
【図３】
0003116073.tif 000005
【図４】
0003116073.tif 000006
【図５】
0003116073.tif 000007
【図６】
0003116073.tif 000008
【図７】
0003116073.tif 000009
【図８】
0003116073.tif 000010